(57)【要約】【課題】接触シールの振動及び鳴き音の発生を防止することのできる転がり軸受を提供する。【解決手段】本発明の転がり軸受１は、外輪２と内輪５との間に配設された複数個の転動体である玉８と、外輪２に嵌着され、かつ、内輪５に形成されたシール接触溝７に接触するように構成された接触シール９とを備え、シール接触溝７に、接触シール９と接触するグリース１５が設けられている。【選択図】図１
2008151344.tif 000002
【特許請求の範囲】
【請求項１】
内周面に外輪軌道面が形成された外輪と、外周面に内輪軌道面が形成された内輪と、前記外輪軌道面と前記内輪軌道面との間に配設された複数個の転動体と、
前記外輪または前記内輪の一方に嵌着され、かつ、他方に形成されたシール接触溝に接触するように構成された接触シールとを備えた転がり軸受において、
前記シール接触溝に、前記接触シールと接触する潤滑手段が設けられていることを特徴とする転がり軸受。
【請求項２】
請求項１に記載の転がり軸受において、前記潤滑手段は、油であることを特徴とする転がり軸受。
【請求項３】
請求項２に記載の転がり軸受において、前記油は、前記転動体の周囲に設けられたグリースの基油であることを特徴とする転がり軸受。
【請求項４】
請求項１に記載の転がり軸受において、前記潤滑手段は、グリースであることを特徴とする転がり軸受。
【請求項５】
請求項４に記載の転がり軸受において、前記転動体の周囲には、前記グリースと同等のグリースが設けられていることを特徴とする転がり軸受。
【請求項６】
請求項４または５に記載の転がり軸受において、前記シール接触溝の円周上の２箇所以上に前記グリースが設けられており、さらに、１箇所当たりの前記グリースの量は、前記シール接触溝の直径をｄ（ｍｍ）とした場合に、ｄ（ｍｇ）以下であることを特徴とする転がり軸受。
【請求項７】
請求項１〜６の何れか１項に記載の転がり軸受において、前記接触シールと前記シール接触溝とは、前記接触シールの外側の面で接触していることを特徴とする転がり軸受。
【発明の詳細な説明】
【技術分野】
【０００１】
本発明は、転がり軸受に関し、さらに詳しくは、外輪または内輪の一方に嵌着され、かつ、他方に接触するように構成された密封型の接触シールを備えた転がり軸受に関する。
【背景技術】
【０００２】
転がり軸受は、異物が内部に侵入すると損傷が起こりやすくなり、使用寿命が低下してしまう。従来、粉塵等の異物が存在する環境下では、密封型の接触シールを備えた転がり軸受が好適に用いられている（例えば、特許文献１参照）。このような密封型の転がり軸受の一例を図３に示す。
【０００３】
図３に示すように、従来の密封型の転がり軸受１００は、外輪１０１の内周面１０２の両端部に、シール固定溝１０３が形成されており、このシール固定溝１０３に接触シール１１０が嵌着されている。また、内輪１０５の外周面１０６の両端部に、シール接触溝１０７が形成されており、接触シール１１０のリップ部１１１がシール接触溝１０７に接触している。転がり軸受１００の運転時には、接触シール１１０のリップ部１１１がシール接触溝１０７と摺接する。
このように、転がり軸受１００は、接触シール１１０によって内部の空間を密封して、外部からの異物の侵入を防いでいる。
【０００４】
【特許文献１】特開平９−３２９１４８号公報（第３頁、図１）
【発明の開示】
【発明が解決しようとする課題】
【０００５】
ところで、上述したような転がり軸受１００では、運転開始時や、低温または高温環境下において、接触シール１１０のリップ部１１１とシール接触溝１０７の接触状態が変化し、接触シール１１０に自励振動が生じてしまうことがある。特に、接触シール１１０の自由端であるリップ部１１１は振動が励起されやすい。また、接触シール１１０が振動すると、シール接触溝１０７との摩擦によって鳴き音と呼ばれる騒音が発生してしまい、軸受の品質上、好ましくない。
【０００６】
本発明の目的は、接触シールの振動及び鳴き音の発生を防止することのできる転がり軸受を提供することにある。
【課題を解決するための手段】
【０００７】
上記目的を達成するための本発明に係る転がり軸受は、内周面に外輪軌道面が形成された外輪と、外周面に内輪軌道面が形成された内輪と、外輪軌道面と内輪軌道面との間に配設された複数個の転動体と、外輪または内輪の一方に嵌着され、かつ、他方に形成されたシール接触溝に接触するように構成された接触シールとを備えた転がり軸受において、シール接触溝に、接触シールと接触する潤滑手段が設けられていることを特徴とする。
【０００８】
このような構成の転がり軸受によれば、シール接触溝に、接触シールと接触する潤滑手段によって、接触シールがシール接触溝に対して安定的に潤滑される。したがって、シール接触溝と接触シールとの接触状態が安定して、接触シールの自励振動及び鳴き音の発生を防止することができる。
【０００９】
また、本発明に係る転がり軸受において、潤滑手段は、油であることが望ましい。一般的に使用されている潤滑用の油を用いると、汎用性、コストの面で好ましい。
【００１０】
また、本発明に係る転がり軸受において、油は、転動体の周囲に設けられたグリースの基油であることが望ましい。
このような転がり軸受によれば、シール接触溝に設けられた基油と転動体の周囲に設けられたグリースと基油とが混ざり合った場合でも、グリースの品質を劣化させてしまうことがなく、転動体や接触シールの潤滑状態を悪化させることがない。
【００１１】
また、本発明に係る転がり軸受において、潤滑手段は、グリースであることが望ましい。一般的に使用されているグリースを用いると、汎用性、コストの面で好ましい。
【００１２】
また、本発明に係る転がり軸受において、転動体の周囲には、シール接触溝と接触シールとの間に設けられたグリースと同等のグリースが設けられていることが望ましい。
ここで、同等のグリースとは、基油及び増ちょう剤が同じ種類のグリースであることを指す。また、望ましくは同一仕様のグリースであると良く、同一ロットのものを用いた場合に最も管理が容易である。
このような転がり軸受によれば、シール接触溝に設けられたグリースと、転動体の周囲に設けられたグリースとが混ざり合った場合でも、グリースの品質を劣化させてしまうことがなく、転動体や接触シールの潤滑状態を悪化させることがない。
【００１３】
また、本発明に係る転がり軸受において、シール接触溝の円周上の２箇所以上に、グリースが設けられており、さらに、１箇所当たりのグリースの量は、シール接触溝の直径をｄ（ｍｍ）とした場合に、ｄ（ｍｇ）以下であることが望ましい。
このような構成の転がり軸受によれば、シール接触溝に設けられるグリースの量が、接触シールとシール接触溝の間から漏れ出さないような適切な量となる。グリースの漏れ出しを防ぐことにより、接触シールの密封性を維持することができる。
【００１４】
また、本発明に係る転がり軸受において、接触シールとシール接触溝とは、接触シールの外側の面で接触していることが望ましい。
このような構成の転がり軸受によれば、接触シールの外側はシール接触溝と接触させて、なおかつ、接触シールの内側とシール接触溝との間に潤滑手段を設けることができる。すなわち、潤滑手段は、接触シールとシール接触溝との接触箇所より内側に設けられるため、接触シールの内側に封入される。
【発明の効果】
【００１５】
以上説明したように、本発明に係る転がり軸受によれば、接触シールがシール接触溝に対して安定的に潤滑される。したがって、シール接触溝と接触シールとの接触状態が安定して、接触シールの自励振動及び鳴き音の発生を防止することができる。
【発明を実施するための最良の形態】
【００１６】
以下、本発明に係る転がり軸受の実施の形態を図１及び図２に基づいて説明する。
図１は、本発明に係る転がり軸受の実施の形態を示す要部断面図である。図２は、図１に示した転がり軸受の平面模式図である。
なお、本実施形態では、転動体として玉を用いた玉軸受について説明するが、本発明はころ軸受についても適用可能である。また、接触シールは、外輪に嵌着されて内輪に接触している態様であるが、これとは逆に、内輪に嵌着されて外輪に接触する態様としても良い。
【００１７】
図１に示すように、本実施形態の転がり軸受１は、外輪２と内輪５との間に配設された複数個の転動体である玉８と、外輪２に嵌着され、かつ、内輪５に形成されたシール接触溝７に接触するように構成された接触シール９とを備え、シール接触溝７に、接触シール９と接触する潤滑手段であるグリース１５が設けられていることを特徴としている。
【００１８】
外輪２の内周面３には、玉８の半径より僅かに大きい曲率半径の円弧状の断面を有する外輪軌道面３ａが形成されている。
また、内輪５の外周面６には、外輪軌道面３ａと同様に、玉８の半径より僅かに大きい曲率半径の円弧状の断面を有する内輪軌道面６ａが形成されている。
【００１９】
外輪軌道面３ａと内輪軌道面６ａとの間に形成された軌道内には、保持器１４によって円周方向に所定の間隔で整列して保持された複数個の玉８が転動自在に配設されている。この玉８の周囲には、転動体潤滑用のグリース１６が設けられている。
このグリース１６は、内輪５と外輪２と玉８と保持器１４と接触シール９とにより囲まれる軸受空間内に封入され、内輪５、外輪２、玉８、保持器１４が相対運動する時の潤滑グリースとして機能するものである。また、グリース１６は、転がり軸受１のトルクや寿命、あるいはグリース１６の飛散する量を考慮して、軸受空間内の５〜６０体積％の量が封入される。
【００２０】
また、本実施形態では、このグリース１６として、優れた音響特性を確保するためのものを使用している。そのため、グリース１６の基油は、少なくともエステル系合成油を含有するものを用いている。好ましくは、この基油中にこのエステル系合成油を３０質量％以上（より好ましくは５０質量％以上）含有していると良い。また、グリース１６の基油として、エステル系合成油以外に、合成炭化水素油やエーテル系合成油を好適に使用できる。これらの合成炭化水素油等の基油は、単独で、もしくは２種類以上を混合した状態で使用できる。
【００２１】
また、グリース１６の基油は、所望の動粘度になるように適宜調整すると良い。例えば、基油の動粘度は、油膜の形成と軸受のトルクを考慮して、４０℃で１０〜１２０ｍｍ２
／ｓとすることが望ましい。動粘度が１０ｍｍ２／ｓ未満であると、耐久性が減少し、１
２０ｍｍ２／ｓを超えるとトルクが大きくなる。より望ましくは、４０℃での動粘度は１
８〜６０ｍｍ２／ｓである。
【００２２】
具体的には、上記のエステル系油として、ジブチルセバケート、ジ−２−エチルヘキシルセバケート、ジオクチルアジペート、ジイソデシルアジペート、ジトリデシルアジペート、ジトリデシルグルタレート、メチル・アセチルシノレート等のジエステル油、あるいはトリオクチルトリメリテート、トリデシルトリメリテート、テトラオクチルピロメリテート等の芳香族エステル油、さらにはトリメチロールプロパンカプリレート、トリメチロールプロパンペラルゴネート、ペンタエリスリトール−２−エチルヘキサノエート、ペンタエリスリトールベラルゴネート等のポリオールエステル油、さらには、多価アルコールと二塩基酸・一塩基酸の混合脂肪酸とのオリゴエステルであるコンプレックスエステル油等が挙げられる。この様なエステル系油を基油中に含んでいる場合、金属との親和性が良好なエステル結合により、油膜の保持能力を高くし、優れた油滑性を確保できるため、グリースの潤滑性と耐久性と耐熱性とを向上できる。このため、基油として上記のエステル系油を含んだグリースを使用した場合には、前記転がり軸受１の優れた音響特性を確保できる。
【００２３】
また、上記の基油に好ましく使用できる合成炭化水素油系油としては、ノルマルパラフィン、イソパラフィン、ポリブテン、ポリイソブチレン、１−デセンオリゴマー、１−デセン・エチレンコオリゴマー等のポリ−α−オレフィンまたはこれらの水素化物、モノアルキルベンゼン、ジアルキルベンゼン等のアルキルベンゼン、あるいはモノアルキルナフタレン、ジアルキルナフタレン、ポリアルキルナフタレン等のアルキルナフタレン等が挙げられる。
【００２４】
また、上記の基油に好ましく使用できるエーテル系合成油としては、ポリエチレングリコール、ポリプロピレングリコール、ポリエチレングリコールモノエーテル、ポリプロピレングリコールモノエーテル等のポリグリコール、あるいはモノアルキルトリフェニルエーテル、アルキルジフェニルエーテル、ジアルキルジフェニルエーテル、ペンタフェニルエーテル、テトラフェニルエーテル、モノアルキルテトラフェニルエーテル、ジアルキルテトラフェニルエーテル等のフェニルエーテル油等が挙げられる。
【００２５】
また、グリース１６の増ちょう剤としては、ゲル構造を有し、上記の基油をこのゲル構造中に保持する能力があるものであれば、広い範囲で使用できるが、好ましくは、リチウム石けん等の金属石けん系、リチウム複合石けん等の金属複合石けん系、またはウレア系を使用できる。このうち、リチウム石けんを増ちょう剤として使用した場合には、転がり軸受１の音響特性の向上を図ることができる。また、上記ウレア系を増ちょう剤として使用する場合に、次の一般式で表されるジウレア化合物を使用することもできる。
【００２６】
【化１】
2008151344.tif 000003
【００２７】
この式中のＲ２は炭素数６〜１５の芳香族系炭化水素基を、Ｒ１及びＲ３は炭素数６〜
１２の芳香族系炭化水素基または炭素数６〜２０の脂肪族炭化水素基を、それぞれ表している。また、Ｒ１及びＲ３の全量中に占める芳香族系炭化水素基の割合は、５０〜１００
モル％であり、Ｒ１及びＲ３は、互いに同一でも異なっていても良い。
【００２８】
このような芳香族系ジウレア化合物を増ちょう剤に使用し、しかも、この増ちょう剤をグリース１６中に１５〜３５質量％（好ましくは１５〜３０質量％）配合した場合には、耐剥離性を確保できるとともに、グリース漏れの防止を図りやすくなる。また、高温で高速回転する状態で使用する転がり軸受１の耐久寿命を確保できるとともに、低温時の異音の発生を防止できる。また、エステル系油を含む基油の油性効果を得られるため、潤滑性の向上を図れて、転がり軸受１の早期焼き付きの発生を防止できる。
【００２９】
また、グリース１６の混和ちょう度を、好ましくはＮＬＧＩ  Ｎｏ．１〜３とする。このために、例えば、このグリース１６中に上記の増ちょう剤を５〜３５質量％配合する。
【００３０】
また、このグリース１６に、さらに優れた性能を持たせるため、従来から知られている各種の添加剤を必要に応じて含有させることもできる。この添加剤としては、例えば、金属石けん、ベントン、シリカゲル等のゲル化剤、アミン系、フェノール系、イオウ系、ジチオリン酸亜鉛等の酸化防止剤、塩素系、イオウ系、リン系、ジチオリン酸亜鉛、有機モリブテン等の極圧剤、脂肪酸、動植物油等の油性剤、石油スルフォネート、ジノニルナフタレンスルフォネート、ソルビタンエステル等の錆び止め剤、ベンゾトリアゾール、亜硝酸ソーダ等の金属不活性剤、ポリメタクリレート、ポリイソブチレン、ポリスチレン等の粘度指数向上剤等が挙げられ、これらの添加剤を、単独で、または２種以上組み合わせて添加できる。この際、この添加剤の添加量は特に限定するものではないが、通常は、グリース１６中に添加剤を２０質量％以下含有させる。
【００３１】
また、外輪２の内周面３の両端部に設けられたシール固定溝４には、密封型の接触シール９が固定されている。また、内輪５の外周面６の両端部にはシール接触溝７が設けられており、接触シール９は、シール固定溝４とシール接触溝７との間を封止するように嵌着されている。なお、本実施形態では接触シール９が２つ設けられているが、どちらか一方のみであっても良い。
【００３２】
接触シール９は、芯金部９ａが弾性体のゴムシール部９ｂで被覆されており、外輪２及び内輪５と同様に円環状に連続した形状に構成されている。なお、接触シール９は、芯金部９ａを設けずに全体を弾性体のみの態様とすることも可能である。接触シール９は、外径側に固定部１０が設けられており、内径側にリップ部１１が設けられている。固定部１０は、シール固定溝４に固定され、リップ部１１は、シール接触７に接触して、運転時に摺動する。これにより、軸受外部からの異物の侵入や、軸受内部からのグリースやオイルの漏れを防いでいる。
【００３３】
リップ部１１を形成する弾性体のゴム成形体は、原料ゴムに、加硫剤、加硫促進剤、加硫促進助剤、老化防止剤、補強剤、可塑剤、カップリング剤等の配合剤を必要に応じて適宜配合したゴム組成物を、加硫成形することにより得られる。ここで使用できる原料ゴムとしては、ニトリルゴム、アクリルゴム、アクリルニトリルブタジエンゴム、ブタジエンゴム、ブチルゴム、ウレタンゴム、フッ素ゴム、シリコーンゴム、イソプレンゴム、天然ゴム等が挙げられるが、耐油性、耐熱性、耐グリース性のバランスを考慮すると、ニトリルゴム、アクリルゴム、及びアクリルニトリルブタジエンゴムが好ましい。ニトリルゴム、アクリルゴム、アクリルニトリルブタジエンゴムは、乾燥状態で摩擦係数が大きくなることから、本願発明に係る潤滑手段を設けることにより、シール接触溝７と接触シール９との接触状態が安定し、接触シール９の自励振動及び鳴き音等の発生を防止することができる。特に、アクリルゴム、アクリルニトリルブタジエンゴムは、耐油性、耐熱性、耐グリース性を満足するゴムの中では他のゴムに比べ乾燥状態での摩擦係数が大きいため、本願発明に係る潤滑手段を設けた効果がさらに大きくなる。
【００３４】
また、接触シール９のリップ部１１とシール接触溝７とは、リップ部１１の外側の面で接触している。さらに、リップ部１１の内側とシール接触溝７との間には、グリース１５が設けられている。このグリース１５は、リップ部１１とシール接触溝７との接触箇所より内側に設けられているため、転がり軸受１の内部に安定的に封入されて、接触シール９の外側に漏れ出ることが防止される。また、グリース１５の漏れを防止することで、接触シール９の密封性が良好に保たれる。さらに、転がり軸受１の長期の使用が可能になる。  なお、リップ部１１とシール接触溝７との接触箇所は、上述したような外側の面に限られるものではなく、適宜変更が可能である。
【００３５】
さらに、グリース１５が接触シール９の外側に漏れ出ることを防止するために、グリース１５の量を適切に調節することが望ましい。
図２に、接触シール９と保持器１４を除いた転がり軸受１の平面図を示す。図２に示すように、本実施形態では、グリース１５をシール接触溝７の円周上の２箇所に設けている。
ここで、グリース１５の量は、転がり軸受１の大きさを基準にして適宜調節すると良い。本実施形態では、シール接触溝７の直径ｄが１０（ｍｍ）であり、１箇所当たりのグリース１５の量が１０（ｍｇ）以下に設定されている。また、シール接触溝７の直径ｄが１５（ｍｍ）である場合には、１箇所当たりのグリース１５の量が１５（ｍｇ）以下に設定されていると良い。さらに、シール接触溝７の直径ｄが５（ｍｍ）である場合には、１箇所当たりのグリース１５の量が５（ｍｇ）以下に設定されていると良い。このように、シール接触溝７の直径をｄ（ｍｍ）とした場合に、１箇所当たりのグリース１５の量が、ｄ（ｍｇ）以下に設定されていると良い。なお、１箇所のグリース１５の量を適宜調節して、３箇所以上に設けても良い。
【００３６】
このとき、複数箇所に設けるグリース１５の合計量は、シール接触溝７の直径をｄ（ｍｍ）とした場合に２ｄ（ｍｇ）以下であることが望ましく、１箇所あたりのグリース１５の量はそれぞれ均等であることが望ましい。なお、このグリース１５の量が少ないと耐久性が低下するため、複数箇所のグリース１５の合計量が、シール接触溝７の直径をｄ（ｍｍ）とした場合に０．２ｄ（ｍｇ）以上であることが望ましく、０．５ｄ（ｍｇ）以上であることがより望ましい。
【００３７】
また、グリース１５として用いられるグリースは、一般に転動体潤滑用に使用されているグリースが使用可能である。
例えば、前述のリチウム石けんグリース等の金属石けんグリース、リチウム複合石けんグリース等の金属複合石けんグリース、ウレアグリース等の非石鹸基グリース等が使用可能である。
【００３８】
好ましくは、グリース１５は、玉８の周囲に設けられたグリース１６と同じ種類のものを用いると良い。例えば、玉８の周囲に設けられたグリース１６として、前記のエステル系合成油を基油中に３０質量％以上含有し、増ちょう剤としてリチウム石けんあるいはウレア化合物を用いたグリースの場合には、シール接触溝７と接触シール９との間に設けるグリース１５も、同様にエステル系合成油を基油中に３０質量％以上含有し、増ちょう剤としてリチウム石けんあるいはウレア化合物を用いたグリースとする（グリース１５とグリース１６とを同等のグリースとする）ことが望ましい。
【００３９】
これにより、シール接触溝７に設けられたグリース１５が、玉８の近傍まで伝わって玉８の周囲に設けられたグリース１６と混ざり合った場合でも、グリース１６の品質を劣化させてしまうことがなく、玉８と外輪軌道面３ａ及び内輪軌道面６ａとの潤滑状態を悪化させることがない。また、玉８の周囲に設けられたグリース１６が、シール接触溝７まで伝わってシール接触溝７のグリース１５と混ざり合った場合でも、グリース１５の品質を劣化させてしまうことがなく、シール接触溝７内の接触シール９との潤滑状態を悪化させることがない。
【００４０】
以上説明したように、本実施形態の転がり軸受１は、シール接触溝７と接触シール９との間に、グリース１５が設けられているため、グリース１５の粘性や潤滑性によって、リップ部１１がシール接触溝７に対して安定的に保持される。また、接触シール９に振動が励起されてしまう際には、グリース１５がその振動エネルギーを効果的に吸収して、振動を抑制することができる。したがって、シール接触溝７とリップ部１１との接触状態が安定して、接触シール９の自励振動及び鳴き音の発生を防止することができる。
【００４１】
また、上記実施形態の転がり軸受１において、シール接触溝７と接触シール９との間にグリース１５を設ける代わりに、油を設けることも可能である。油は、例えば玉８の周囲に設けられたグリース１６の基油を使用すると良い。例えば、玉８の周囲に設けられたグリース１６として、前記のエステル系合成油を基油中に３０質量％以上含有し、増ちょう剤としてリチウム石けんあるいはウレア化合物を用いたグリースの場合は、シール接触溝７と接触シール９との間に設けるグリース１５も、そのグリースの基油であるエステル系合成油を基油中に３０質量％以上含有する油を用いることが望ましい。一般に、グリースは、基油と増ちょう剤を混合させて作られるものであり、グリースの原料である基油と同種類の基油が混合した場合は、性質が悪化しにくい。
【００４２】
したがって、シール接触溝７に設けられた基油が玉８の近傍まで伝わって、玉８の周囲に設けられたグリース１６と基油とが混ざり合った場合でも、グリース１６の品質を劣化させてしまうことがなく、玉８と外輪軌道面３ａ及び内輪軌道面６ａとの潤滑状態を悪化させることがない。
また、玉８の周囲に設けられたグリース１６がシール接触溝７まで伝わって、そのグリース１６と基油とが混ざり合った場合でも、グリース１６が基油に希釈されるので、シール接触溝７内の潤滑状態を悪化させることがない。
【００４３】
なお、グリースの基油は、前記エステル系合成油に限定されることなく、鉱油、合成炭化水素油、シリコーン油、フッ素油等の転がり軸受の潤滑に用いられる通常の潤滑油が適用可能である。
【００４４】
なお、シール接触溝７に設けられるグリース、油等は、接触シール９を嵌着する前であって、転がり軸受１の組み立て工程中または組み立て後に塗布や液滴などして設けることができる。
【００４５】
一般に、自励振動は、接触対象物との接触圧によって発生の度合が変化するものである。転がり軸受の接触シールで発生する自励振動の場合、軽接触と呼ばれる１０ｍｍＮ〜１Ｎの接触圧のときに発生しやすい。したがって、本発明に係る転がり軸受は、内径３０ｍｍ以下の転がり軸受において軽接触の接触シールの場合に有効であり、特に内径２ｍｍ〜１５ｍｍの転がり軸受において１０ｍｍＮ〜５００ｍｍＮの接触圧で用いられる接触シー
ルの場合に有効である。
【００４６】
また、本発明に係る転がり軸受を、回転機器等、例えば直流電動機の回転軸を支持する軸受として用いると、機器の低騒音化を図ることができる。このとき、直流モータのブラシモータ側の転がり軸受のシールとして本願発明に係るシール構造を用いると、ブラシの摩耗分が軸受内へ浸入することを防止し、かつ自励振動を防止して鳴き音の発生を抑制できるとともに、低トルクを実現できる。このとき、転がり軸受のもう一方のシール（ブラシと反対側のシール）を非接触シールとすることにより、さらなる低トルクを実現できる。このとき、玉８の周囲に設けられたグリース１６及びシール接触溝７と接触シール９との間に設けるグリース１５として、前記のエステル系合成油を基油中に３０質量％以上含有し、増ちょう剤としてリチウム石けんあるいはウレア化合物を用いたグリースを使用することにより、自励振動を防止してな異音の発生の防止と、それに伴う低騒音化、低トルク化に加え、耐久性の向上による長寿命等、優れた軸受性能を得ることができる。
【図面の簡単な説明】
【００４７】
【図１】図１は、本発明に係る転がり軸受の実施の形態を示す要部断面図である。
【図２】図２は、図１に示した転がり軸受の平面模式図である。
【図３】従来の転がり軸受の一例を示す要部断面図である。
【符号の説明】
【００４８】
１      転がり軸受
２      外輪
３      内周面
３ａ    外輪軌道面
４      シール固定溝
５      内輪
６      外周面
６ａ    内輪軌道面
７      シール接触溝
８      玉（転動体）
９      接触シール
９ａ    芯金部
９ｂ    ゴムシール部
１０    固定部
１１    リップ部
１４    保持器
１５    グリース（潤滑手段）
１６    グリース
【図１】
2008151344.tif 000004
【図２】
2008151344.tif 000005
【図３】
2008151344.tif 000006
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
内周面に外輪軌道面が形成された外輪と、外周面に内輪軌道面が形成された内輪と、前記外輪軌道面と前記内輪軌道面との間に配設された複数個の転動体と、
前記外輪または前記内輪の一方に嵌着され、かつ、他方に形成されたシール接触溝に１０ｍＮ〜１Ｎの軽接触で接触するように構成された接触シールと、を備え、該接触シールは、原料ゴムをアクリルゴム又はアクリルニトリルブタジエンゴムとするゴム成形体からなる弾性体によって形成されるリップ部を有した転がり軸受において、
前記リップ部が前記シール接触溝に接触する位置より内側の前記リップ部と前記シール接触溝との間にはグリースが保持されていることを特徴とする転がり軸受。
【請求項２】
請求項１に記載の転がり軸受において、前記接触シールと前記シール接触溝とは、前記リップ部の外側の面で接触していることを特徴とする転がり軸受。
【請求項３】
請求項１又は２に記載の転がり軸受において、前記グリースは、エステル系合成油を基油中に３０質量％以上含有し、増ちょう剤としてリチウム石けんあるいはウレア化合物を用いたものであることを特徴とする転がり軸受。
【手続補正２】
【補正対象書類名】明細書
【補正対象項目名】０００７
【補正方法】変更
【補正の内容】
【０００７】
上記目的を達成するための本発明に係る転がり軸受は、内周面に外輪軌道面が形成された外輪と、外周面に内輪軌道面が形成された内輪と、外輪軌道面と内輪軌道面との間に配設された複数個の転動体と、外輪または内輪の一方に嵌着され、かつ、他方に形成されたシール接触溝に１０ｍＮ〜１Ｎの軽接触で接触するように構成された接触シールと、を備え、該接触シールは、原料ゴムをアクリルゴム又はアクリルニトリルブタジエンゴムとするゴム成形体からなる弾性体によって形成されるリップ部を有した転がり軸受において、  前記リップ部が前記シール接触溝に接触する位置より内側の前記リップ部と前記シール接触溝との間にはグリースが保持されていることを特徴とする。
【手続補正３】
【補正対象書類名】明細書
【補正対象項目名】０００８
【補正方法】変更
【補正の内容】
【０００８】
このような構成の転がり軸受によれば、シール接触溝に、接触シールと接触する潤滑手段によって、接触シールがシール接触溝に対して安定的に潤滑される。したがって、シール接触溝と接触シールとの接触状態が安定して、接触シールの自励振動及び鳴き音の発生を防止することができる。一般的に使用されているグリースを用いると、汎用性、コストの面で好ましい。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００４５
【補正方法】変更
【補正の内容】
【００４５】
一般に、自励振動は、接触対象物との接触圧によって発生の度合が変化するものである。転がり軸受の接触シールで発生する自励振動の場合、軽接触と呼ばれる１０ｍＮ〜１Ｎの接触圧のときに発生しやすい。したがって、本発明に係る転がり軸受は、内径３０ｍｍ以下の転がり軸受において軽接触の接触シールの場合に有効であり、特に内径２ｍｍ〜１５ｍｍの転がり軸受において１０ｍＮ〜５００ｍＮの接触圧で用いられる接触シールの場合に有効である。